(57)【要約】      （修正有）【課題】  実質的に無侵襲で酸化的ストレスを簡便に短時間で検出でき、酸化的ストレス状態と正常状態とを明確に区別化することができる、酸化的ストレスの検出装置を提供する。【解決手段】  ４００〜２５００ｎｍの波長の光を被検試料に照射するための照射手段と、被検試料からの反射光、透過光及び拡散光からなる群より選ばれた光の強度を検出するための検出手段と、光の強度スペクトルの情報を受け取り、該情報を、多変量解析により処理し、スペクトルのパターン変動を分類し、該スペクトルのパターン変動と、多変量解析により処理され、かつ分類された分類モデルとの間のクラス間距離により酸化的ストレスを判定するための処理手段とを備えてなる、酸化的ストレスの検出装置。【選択図】  なし【特許請求の範囲】
【請求項１】
（Ｉ）被検試料に、４００〜２５００ｎｍの波長の光を照射して、スペクトルを得るステップ、
（ＩＩ）前記ステップ（Ｉ）で得られたスペクトルを、多変量解析により処理し、ついで、スペクトルのパターン変動を分類するステップ、及び
（ＩＩＩ）前記ステップ（ＩＩ）で分類されたスペクトルのパターン変動と、多変量解析により処理され、かつ分類された分類モデルとの間のクラス間距離を指標として酸化的ストレスを検出するステップ
を行なうことを特徴とする、酸化的ストレスの検出方法。
【請求項２】
ステップ（ＩＩ）において、ステップ（Ｉ）で得られたスペクトル中の６００〜１０００ｎｍの波長の領域を多変量解析により処理する、請求項１記載の検出方法。
【請求項３】
ステップ（ＩＩ）において、多変量解析に先立ち、スペクトルをＳＮＶ変換処理又は二次微分変換処理する、請求項１又は２記載の検出方法。
【請求項４】
（Ａ）４００〜２５００ｎｍの波長の光を発生するための光発生手段と、
（Ｂ）前記（Ａ）の光発生手段から発生した光を被検試料に照射するための照射手段と、
（Ｃ）前記（Ｂ）の照射手段からの光の照射により被検試料から発生する光であって、かつ反射光、透過光及び拡散光からなる群より選ばれた光の強度を検出するための検出手段と
（Ｄ）前記（Ｃ）の検出手段で検出された反射光、透過光及び拡散光からなる群より選ばれた光の強度を示すスペクトルの情報を受け取り、該情報を、多変量解析により処理し、スペクトルのパターン変動を分類し、該スペクトルのパターン変動と、多変量解析により処理され、かつ分類された分類モデルとの間のクラス間距離により酸化的ストレスを判定するための処理手段と
を備えてなる、酸化的ストレスの検出装置。
【請求項５】
（Ｂ）の照射手段が、６００〜１０００ｎｍの波長の近赤外光を照射するものである、請求項４記載の検出方法。
【請求項６】
（Ｃ）の検出手段が、６００〜１０００ｎｍのスペクトルを検出する、請求項４記載の検出方法。
【発明の詳細な説明】
【技術分野】
【０００１】
本発明は、酸化的ストレスの検出方法及び酸化的ストレスの検出装置に関する。さらに詳しくは、本発明は、実質的に無侵襲的に、酸化的ストレスを検出することができる、酸化的ストレスの検出方法及び酸化的ストレスの検出装置に関する。
【背景技術】
【０００２】
現在、酸化的ストレスは、血液を採血し、得られた血液にチオバルビツール酸を添加し、発色を測定するＴＢＡＲＳ法等により測定されうる（非特許文献１、非特許文献２、非特許文献３、非特許文献４等を参照のこと）。
【０００３】
しかしながら、前記ＴＢＡＲＳ法においては、（１）採血等の侵襲性の操作を要すること、（２）測定前の処理の操作が複雑であり、測定に時間を要すること、（３）測定感度が低いこと等の欠点がある。
【非特許文献１】ド  ザウォート（Ｄｅ  ｚａｗａｒｔ）ら、Ｆｒｅｅ  Ｒａｄｉｃａｌ  Ｂｉｏ．  Ｍｅｄ．、２６、２０２−２２６、１９９９
【非特許文献２】ドラパー（Ｄｒａｐｅｒ）ら、Ｆｒｅｅ  Ｒａｄｉｃａｌ  Ｂｉｏ．  Ｍｅｄ．、２９、１０１７−１０７７、２０００
【非特許文献３】ノワック（Ｎｏｗａｋ）ら、Ｆｒｅｅ  Ｒａｄｉｃａｌ  Ｂｉｏ．  Ｍｅｄ．、３０、１７８−１８６、２００１
【非特許文献４】ミウラ（Ｍｉｕｒａ）ら、Ｆｒｅｅ  Ｒａｄｉｃａｌ  Ｂｉｏ．  Ｍｅｄ．、２８、８５４−８５９、２０００
【発明の開示】
【発明が解決しようとする課題】
【０００４】
本発明は、実質的に無侵襲で酸化的ストレスの検出を行なうこと、酸化的ストレス状態と正常状態とを明確に区別化すること、検出を簡便に行なうこと、検出を短時間で行なうこと等の少なくとも１つを可能にする、酸化的ストレスの検出方法を提供することを目的とする。また、本発明は、前記酸化的ストレスの検出方法を簡便かつ迅速に行なうこと、実質的に無侵襲で酸化的ストレスの検出を行なうこと、酸化的ストレス状態と正常状態とを明確に区別化すること、検出を簡便に行なうこと、検出を短時間で行なうこと等の少なくとも１つを可能にする、酸化的ストレスの検出装置を提供することを目的とする。
【課題を解決するための手段】
【０００５】
本発明の要旨は、
〔１〕  （Ｉ）被検試料に、４００〜２５００ｎｍの波長の光を照射して、スペクトルを得るステップ、
（ＩＩ）前記ステップ（Ｉ）で得られたスペクトルを、多変量解析により処理し、ついで、スペクトルのパターン変動を分類するステップ、及び
（ＩＩＩ）前記ステップ（ＩＩ）で分類されたスペクトルのパターン変動と、多変量解析により処理され、かつ分類された分類モデルとの間のクラス間距離を指標として酸化的ストレスを検出するステップ
を行なうことを特徴とする、酸化的ストレスの検出方法、
〔２〕  ステップ（ＩＩ）において、ステップ（Ｉ）で得られたスペクトル中の６００〜１０００ｎｍの波長の領域を多変量解析により処理する、前記〔１〕記載の検出方法、
〔３〕  ステップ（ＩＩ）において、多変量解析に先立ち、スペクトルをＳＮＶ変換処理又は二次微分変換処理する、前記〔１〕又は〔２〕記載の検出方法、
〔４〕  （Ａ）４００〜２５００ｎｍの波長の光を発生するための光発生手段と、
（Ｂ）前記（Ａ）の光発生手段から発生した光を被検試料に照射するための照射手段と、
（Ｃ）前記（Ｂ）の照射手段からの光の照射により被検試料から発生する光であって、かつ反射光、透過光及び拡散光からなる群より選ばれた光の強度を検出するための検出手段と
（Ｄ）前記（Ｃ）の検出手段で検出された反射光、透過光及び拡散光からなる群より選ばれた光の強度を示すスペクトルの情報を受け取り、該情報を、多変量解析により処理し、スペクトルのパターン変動を分類し、該スペクトルのパターン変動と、多変量解析により処理され、かつ分類された分類モデルとの間のクラス間距離により酸化的ストレスを判定するための処理手段と
を備えてなる、酸化的ストレスの検出装置。
〔５〕  （Ｂ）の照射手段が、６００〜１０００ｎｍの波長の近赤外光を照射するものである、前記〔４〕記載の検出方法、
〔６〕  （Ｃ）の検出手段が、６００〜１０００ｎｍのスペクトルを検出する、前記〔４〕記載の検出方法、
に関する。
【発明の効果】
【０００６】
本発明の酸化的ストレスの検出方法によれば、実質的に無侵襲で、酸化的ストレス状態と正常状態とを明確に区別化し、簡便かつ短時間に酸化的ストレスを検出することができるという優れた効果を奏する。また、本発明の酸化的ストレスの検出装置によれば、前記酸化的ストレスの検出方法を簡便かつ迅速に行なうことができ、実質的に無侵襲で、酸化的ストレス状態と正常状態とを明確に区別化し、簡便かつ短時間に酸化的ストレスを検出することができるという優れた効果を奏する。
【発明を実施するための最良の形態】
【０００７】
本発明の酸化的ストレスの検出方法は、
（Ｉ）被検試料に、４００〜２５００ｎｍの波長の光を照射して、スペクトルを得るステップ、
（ＩＩ）前記ステップ（Ｉ）で得られたスペクトルを、多変量解析により処理し、ついで、スペクトルのパターン変動を分類するステップ、及び
（ＩＩＩ）前記ステップ（ＩＩ）で分類されたスペクトルのパターン変動と、多変量解析により処理され、かつ分類された分類モデルとの間のクラス間距離を指標として酸化的ストレスを検出するステップ
を行なうことを特徴とする方法である。
【０００８】
本発明の検出方法は、被検試料に、４００〜２５００ｎｍの波長の光を照射して、スペクトルを得ることを１つの大きな特徴とする〔ステップ（Ｉ）という〕。したがって、本発明の検出方法は、被検試料に、４００〜２５００ｎｍの波長の光を照射して得られたスペクトルに基づき、酸化的ストレスを検出するため、実質的に無侵襲で、簡便かつ短時間に、酸化的ストレスを検出することができる優れた効果を発揮する。
【０００９】
前記被検試料としては、動物、具体的には、哺乳動物、昆虫、微生物、植物等、より具体的には、ヒト、非ヒト哺乳動物、実験動物、家畜等が挙げられ、例えば、サル、ラット、マウス、ウシ、ブタ、ウサギ、モルモット、線虫、ハエ、ゴキブリ等が挙げられる。
【００１０】
前記ステップ（Ｉ）において、４００〜２５００ｎｍの波長の光の照射は、例えば、光源、分光器等を用いることにより行なわれうる。
【００１１】
前記光源としては、タングステンランプ、ハロゲンランプ、ヨウ素ランプ、レーザー発光ダイオード等が挙げられる。
【００１２】
前記分光器としては、測定様式により異なるが、例えば、前記光源から発生した光を集光するためのレンズ、スリット、回折格子、フィルター、反射ミラー等を備えた回折格子方式の分光器；干渉フィルター等を備えた干渉フィルター式の分光器；干渉計等を備えたフーリエ変換型の分光器等が挙げられる。
【００１３】
本発明においては、４００〜２５００ｎｍの波長の光を発生するに適した光源を用いてもよく、４００〜２５００ｎｍの範囲の波長よりも広い波長の範囲の光を発生する光源からの光を、スリット、フィルター等を介して、４００〜２５００ｎｍの範囲の波長の光を選別して用いてもよい。
【００１４】
４００〜２５００ｎｍの波長の光の照射により、被検試料から、反射光、透過光及び拡散光からなる群より選ばれた光が発生する。
【００１５】
なお、前記ステップ（Ｉ）においては、４００〜２５００ｎｍの波長の光の照射の代わりに、４００〜２５００ｎｍの範囲の波長よりも広い波長の範囲の光を照射し、４００〜２５００ｎｍの範囲の波長の光に対応するスペクトルを適切な方法で選択的に取得してもよい。
【００１６】
前記反射光、透過光及び拡散光からなる群より選ばれた光は、少なくとも４００〜２５００ｎｍの範囲の光を検出しうる検出器、例えば、ＩｎＧａＡｓ、ＰｂＳ、Ｓｉｌｉｃｏｎ、ＣＣＤ等の検出器により検出されうる。
【００１７】
前記反射光、透過光及び拡散光からなる群より選ばれた光を検出することにより、対応するスペクトルを得ることができる。
【００１８】
ついで、前記ステップ（Ｉ）で得られたスペクトルを、多変量解析により処理し、ついで、スペクトルのパターン変動を分類する〔ステップ（ＩＩ）という〕。
【００１９】
本発明の検出方法は、スペクトルを多変量解析により処理し、ついで、スペクトルのパターン変動を分類することに１つの大きな特徴がある。したがって、本発明の検出方法は、酸化的ストレス状態と正常状態とを明確に区別化することができるという優れた効果を発揮する。また、本発明の検出方法によれば、スペクトルのパターン変動に基づき、酸化的ストレスを検出するため、被検試料における酸化的ストレスを、高い感度で検出することができるという優れた効果を発揮する。また、本発明の検出方法は、４００〜２５００ｎｍの範囲の光の照射に対応するスペクトルのパターン変動を被検試料から直接検出するため、酸化的ストレスの検出を実質的に無侵襲で行なうことができるという優れた効果を発揮する。さらに、本発明の検出方法は、４００〜２５００ｎｍの範囲の光の照射に対応するスペクトルのパターン変動を被検試料から直接検出するので、前処理等を実質的に必要としないため、検出に要する時間が短時間でよいという優れた効果を発揮する。
【００２０】
本発明の検出方法においては、酸化的ストレス状態と正常状態とを、より明確に区別化する観点から、前記ステップ（Ｉ）で得られたスペクトル中の６００〜１０００ｎｍの波長の領域を多変量解析により処理することが好ましい。前記スペクトル中の６００〜１０００ｎｍの波長の領域は、酸化的ストレスにより、驚くべく、より特徴的にパターン変動を生じることが本発明者らにより見出された領域である。
【００２１】
前記多変量解析としては、例えば、ＳＩＭＣＡ法、識別解析、パターン認識解析、クラスター分析等が挙げられる。酸化的ストレス状態と正常状態とを明確に区別化する観点から、ＳＩＭＣＡ法が好適である。
【００２２】
前記ＳＩＭＣＡ（Ｓｏｆｔ  Ｉｎｄｅｐｅｎｄｅｎｔ  Ｍｏｄｅｌｉｎｇ  ｏｆ  Ｃｌａｓｓ  Ａｎａｌｏｇｙ）法〔ウォルド（Ｗｏｌｄ）ら、Ａｍ．Ｃｈｅｍ．Ｓｏｃ．、２４２−２８２（１９７７）〕によれば、主成分モデルが作成され、各クラスとのクラス間距離及び識別力がそれぞれ算出される。前記クラス間距離は、大きな数値を示した場合、２つのクラスが大きく異なることの指標となる。また、前記識別力は、大きな数値を示した場合、該識別力を呈する波長のスペクトルが、スペクトルにおける分類に適した領域であることの指標となる。前記ＳＩＭＣＡ法によれば、酸化的ストレス状態に特異的な波長のスペクトルの変動を、酸化的ストレス状態に非特異的な変動と区別化することができるため、酸化的ストレス状態と正常状態とを明確に区別化することができる。
【００２３】
本明細書において、前記「スペクトルのパターン変動」とは、波長毎の変動の集合を意味する。
【００２４】
なお、本発明の検出方法においては、前記多変量解析に先立ち、スペクトルをＳＮＶ変換処理又は二次微分変換処理してもよい。前記ＳＮＶ変換処理又は二次微分変換処理を行なうことにより、酸化的ストレス状態と正常状態とを、より明確に区別化することができる。
【００２５】
前記ＳＮＶ変換処理は、例えば、バーンズ（Ｂａｒｎｅｓ）、Ａｐｐｌ．Ｓｐｅｃｔｒｏｓｃ、４６、７７２−７７９、（１９８９）に記載の方法等により行なわれうる。前記ＳＮＶ変換処理によれば、試料に依存した分散を低減し、ベースラインシフトを補整し、重複した吸収バンドを分離することができる。前記ＳＮＶ変換処理には、例えば、ソフトウェア  商品名：Ｐｉｒｏｕｅｔｔｅ、ＭａｔｈＷｏｒｋｓ  ＰＬＳ  Ｔｏｏｌｂｏｘ等が用いられうる。
【００２６】
前記二次微分変換処理は、例えば、２５ポイントウインドウとＳａｖｉｔｚｋｙ−Ｇｏｌａｙ重畳法〔ザビッキー（Ｓａｖｉｔｚｋｙ）及びゴーレイ（Ｇｏｌａｙ）、Ａｎａｌ．Ｃｈｅｍ．、３６、１６２７−１６３９、１９６４〕のゴリー（Ｇｏｒｒｙ）による改良法〔ゴリーら、Ａｎａｌ．Ｃｈｅｍ．、６２、５７０−５７３（１９９０）〕との組み合わせ等により行なわれうる。前記二次微分変換処理によれば、ランダムなノイズピークの影響を低減し、ベースラインシフトを補整し、重複した吸収バンドを分離することができる。前記二次微分変換処理には、例えば、ソフトウェア  商品名：Ｐｉｒｏｕｅｔｔｅ  ｖｅｒ．３．０〔インフォマティックス社製〕等が用いられうる。
【００２７】
前記多変量解析による処理、ＳＮＶ変換処理及び二次微分変換処理は、例えば、スペクトルのデータの信号を入力し、又は該信号を取り込み、該信号について、該多変量解析による処理、ＳＮＶ変換処理、二次微分変換処理等を行なうためのデータ処理手段（例えば、前記多変量解析による処理、ＳＮＶ変換処理及び二次微分変換処理を、コンピュータ上で行なうためのプログラムを稼動させうるコンピュータ等）で演算処理することにより行なわれうる。
【００２８】
ついで、前記ステップ（ＩＩ）で分類されたスペクトルのパターン変動と、多変量解析により処理され、かつ分類された分類モデルとの間のクラス間距離を指標として酸化的ストレスを検出する〔ステップ（ＩＩＩ）という〕。
【００２９】
本発明の検出方法は、前記ステップ（ＩＩ）で分類されたスペクトルのパターン変動と、多変量解析により処理され、かつ分類された分類モデルとの間のクラス間距離を調べることに１つの大きな特徴がある。したがって、本発明の検出方法は、酸化的ストレス状態と正常状態とを、より一層明確に区別化することができるという優れた効果を発揮する。
【００３０】
前記「多変量解析により処理され、かつ分類された分類モデル」としては、予め、酸化的ストレス状態にあることがわかっている被検試料について、多変量解析により処理され、かつ分類された主成分モデルが挙げられる。
【００３１】
本発明の検出方法により酸化的ストレス状態にあることが示された被検試料は、例えば、癌、神経変性疾患、動脈硬化症、糖尿病、高血圧症、骨関節炎、急性膵炎、老人性白内障、アミロイドーシス、肝硬変、痴呆症、パーキンソン病、アルツハイマー病、アレルギー性疾患、虚血性心疾患、脳軟化症、炎症（例えば、肝炎、腎炎等）、風邪、感冒等の疾患に罹患した状態若しくは疾患を発症する徴候がある状態であることが示唆される。したがって、本発明の検出方法により得られた酸化的ストレス状態にあることの情報を、前記疾患の診断に用いることができる。
【００３２】
本発明の検出方法は、例えば、
（Ａ）４００〜２５００ｎｍの波長の光を発生するための光発生手段と、
（Ｂ）前記（Ａ）の光発生手段から発生した光を被検試料に照射するための照射手段と、
（Ｃ）前記（Ｂ）の照射手段からの光の照射により被検試料から発生する光であって、かつ反射光、透過光及び拡散光からなる群より選ばれた光の強度を検出するための検出手段と
（Ｄ）前記（Ｃ）の検出手段で検出された反射光、透過光及び拡散光からなる群より選ばれた光の強度を示すスペクトルの情報を受け取り、該情報を、多変量解析により処理し、スペクトルのパターン変動を分類し、該スペクトルのパターン変動と、多変量解析により処理され、かつ分類された分類モデルとの間のクラス間距離により酸化的ストレスを判定するための処理手段と
を備えてなる、酸化的ストレスの検出装置を用いることにより、簡便かつ迅速に行なうことができる。前記検出装置も本発明に含まれる。
【００３３】
前記（Ａ）の光発生手段は、前記光源、前記分光器等から構成される。前記（Ａ）の光発生手段においては、前記光源から発生した光を、前記分光器に通すことにより赤外光を分光し、それにより、近赤外光を取り出す。
【００３４】
前記（Ｂ）の照射手段は、適切なレンズ、ミラー、スリット、フィルター等で構成される。前記（Ｂ）の照射手段において、前記（Ａ）の光発生手段から発生した光を被検試料に向けて照射する。具体的には、前記（Ｂ）の照射手段においては、適切なレンズ、ミラー、スリット、フィルター等を介して、被検試料に向けて、適切な状態で、光を照射させる。前記（Ｂ）の照射手段は、被検試料への光の照射に適した形状等を有する。したがって、本発明の検出装置は、被検試料に対し、実質的に無侵襲で用いられうる。なお、前記（Ｂ）の照射手段は、６００〜１０００ｎｍの波長の近赤外光を照射するものであってもよい。
【００３５】
前記（Ｃ）の検出手段は、前記検出器、検出されたスペクトルのデータの信号の出力手段等で構成される。前記（Ｃ）の検出手段において、前記（Ｂ）の照射手段により、被検試料に照射された光が、被検試料における状態、例えば、酸化的ストレス状態を反映して、反射及び／又は透過及び／又は拡散した光の強度を検出する。なお、前記（Ｃ）の検出手段は、６００〜１０００ｎｍのスペクトルを検出するものであってもよい。
【００３６】
前記（Ｄ）の分析手段は、前記データ処理手段、該データ処理手段で得られたデータの分析結果の出力手段等により構成される。前記（Ｄ）の分析手段においては、前記（Ｃ）の検出手段から出力されたスペクトルのデータの信号を前記データ処理手段に取り込み、多変量解析により処理される。なお、前記（Ｄ）の分析手段は、多変量解析による処理に先立ち、ＳＮＶ変換処理又は二次微分変換処理するための手段をさらに有していてもよい。前記（Ｄ）の分析手段においては、スペクトルのパターン変動が解析され、主成分モデルの形成、クラス間距離の算出等が行なわれうる。前記（Ｄ）の分析手段においては、分析結果を出力させ、酸化的ストレス状態の有無の判定、さらには、疾患の徴候の有無の診断の情報を提供する。
【実施例１】
【００３７】
８週齢の雄Ｗｉｓｔａｒ／ＳＴラット〔静岡実験動物株式会社供給〕を１週間飼育し、順応させた。全動物を、ステンレススチールのカゴ中、２３±２℃の温度で１２時間明暗サイクルで飼育した。また、全動物を自由に摂餌及び摂水させた。
【００３８】
ラット腹腔における近赤外スペクトルを、商品名：フルーツテスター  ２０〔株式会社果実非破壊品質研究所ＦＡＮＴＥＣ社製〕及び商品名：フルーツセレクター  Ｋ−ＢＡ１００〔株式会社クボタ製〕の２タイプのポータブル近赤外分光光度計で測定した。フルーツテスター２０を用いる場合、１６スキャンの平均で行ない、６００〜１０００ｎｍの波長範囲において、１ｎｍ間隔で取得することにより測定を行なった。フルーツセレクターＫ−ＢＡ１００を用いる場合、５００〜１１００ｎｍの波長範囲において、２ｎｍ間隔で取得することにより測定を行なった。ノイズの多い部分を含むスペクトル、特に７００ｎｍより短波長の領域及び１０００ｎｍより高波長の領域をケモメトリックス解析に供した。なお、近赤外分析に先立ち、ラットについて、２日前に腹部周辺の毛を剃り、３時間前、絶食させた。
【００３９】
その結果、フルーツテスター  ２０及びフルーツセレクター  Ｋ−ＢＡ１００で測定したラット腹腔における近赤外スペクトルは、図１のパネルａ及びパネルｂに示されるように、ランダムなベースラインのシフトを示した。これらの現象は、スペクトルの解釈を困難にし、多変数分析においてエラーを生じるであろう。そこで、それらを除去するに適切なデータ変換を適用することが重要である。図１のパネルｃ〜パネルｆは、バーンズ（Ｂａｒｎｅｓ）〔Ａｐｐｌ．Ｓｐｅｃｔｒｏｓｃ、４６、７７２−７７９、（１９８９）〕の標準正規分散（ＳＮＶ）変換処理と二次微分変換処理とにより得られたスペクトルを示す。両方の変換は、ベースラインシフトを較正した。
【００４０】
ＳＮＶ変換処理及び二次微分変換処理のどちらがデータ変換に適切であるかを調べるため、１８スペクトルのうち、６匹の未処理動物から得られるデータセットに対して、ＳＮＶ変換処理又は二次微分変換処理を行ない、主成分分析を行なった。結果を表１に示す。
【００４１】
【表１】
2005055228.tif 000002
【００４２】
その結果、表１に示されるように、ＳＮＶ変換処理されたデータセットの固有値は、至適な因子を選別した後の二次微分変換処理よりも大きく、ＳＮＶ変換処理セットが、より多くの数の有意な主成分を抽出するポテンシャルを有することが示唆された。
【００４３】
また、表１に示されるように、ＳＮＶ変換処理データは、二次微分変換処理よりも、より大きな累積固有値を示し、ＳＮＶ変換処理により、データセットを十分に説明できることが示唆された。
【００４４】
さらに、ＳＮＶ変換セットの主成分分析−スコアスキャタープロットは、図２に示されるように、二次微分変換処理よりも、より均等な分散を示した。これらの結果により、ＳＮＶ変換処理が、腹腔スペクトルの分析の二次微分変換処理よりも優れることが示唆された。
【実施例２】
【００４５】
８週齢の雄Ｗｉｓｔａｒ／ＳＴラット〔静岡実験動物株式会社供給〕を１週間飼育し、順応させた。全動物を、ステンレススチールのカゴ中、２３±２℃で、１２時間明暗サイクル下で飼育した。また、全動物を自由に摂餌及び摂水させた。
【００４６】
四塩化炭素（ＣＣｌ4）〔和光純薬工業株式会社製〕を、等量のミネラルオイル〔ナカライテスク社製〕で希釈し、腹腔内注射により、５００μｌ  ＣＣｌ4／ｋｇ体重の量を、２４時間間隔で、３回、４匹のラットに投与した。対照として、４匹のラットに、ミネラルオイル〔ナカライテスク社製〕を腹腔内注射した。
【００４７】
最初の投与の１０分前、投与３時間後、投与２４時間後、投与４８時間後及び投与５１時間後に、フルーツセレクターＫ−ＢＡ１００を用い、ラット腹腔における近赤外スペクトルを測定した。なお、近赤外分析に先立ち、２日前に腹部周辺の毛を剃り、３時間前、絶食させた。測定は、５００〜１１００ｎｍにおいて、２ｎｍ間隔で取得した。
【００４８】
ノイズの多い部分を含むスペクトル、特に７００ｎｍより短波長の領域及び１０００ｎｍより高波長の領域を、以下のように、ケモメトリックス解析に供した。データ解析は、ソフトウェアＰｉｒｏｕｅｔｔｅ  ｖｅｒ．３．０〔商品名、インフォマティックス社製〕により行なった。また、２５ポイントウインドウと、Ｓａｖｉｔｚｋｙ−Ｇｏｌａｙ重畳法〔ザビッキー（Ｓａｖｉｔｚｋｙ）及びゴーレイ（Ｇｏｌａｙ）、Ａｎａｌ．Ｃｈｅｍ．、３６、１６２７−１６３９、１９６４〕のゴリー（Ｇｏｒｒｙ）による改良法〔ゴリーら、Ａｎａｌ．Ｃｈｅｍ．、６２、５７０−５７３（１９９０）〕により、補整（ｓｍｏｏｔｈｉｎｇ）変換と二次微分変換処理とを行なった。補整変換により、ランダムなノイズピークの影響が低減された。二次微分変換処理により、ベースラインシフトが補整され、重複した吸収バンドが分離された。さらに、バーンズ（Ｂａｒｎｅｓ）〔Ａｐｐｌ．Ｓｐｅｃｔｒｏｓｃ．、４３、７７２−７７７（１９８９）〕のＳＭＶ変換を行ない、試料による分散、ベースラインの変化及び多重共線性を除去した。
【００４９】
ついで、ＳＩＭＣＡ〔ウォルド（Ｗｏｌｄ）ら、Ａｍ．Ｃｈｅｍ．Ｓｏｃ．、２４２−２８２（１９７７）〕を行なった。各データセットを、測定時に従って、いくつかのクラスに分類した。クラス１（投与前測定されたスペクトル）を、他のクラス（投与後に測定されたスペクトル）と比較した。因子の数を、各クラスについて、主成分分析により測定した。クラス間距離及び識別力（ｄｉｓｃｒｉｍｉｎａｔｉｎｇ  ｐｏｗｅｒ）をそれぞれ算出して、２つのクラスを分離する変数の重要性を評価した。なお、クラス間距離は、２つのクラスが大きく異なる場合、大きな数値を示す。また、より大きな識別力は、スペクトルにおけるより分類に有効な領域を示す。
【００５０】
近赤外スペクトルの最後の測定後、麻酔下にラットを屠殺した。心臓穿刺により、ヘパリン化シリンジで血液を採取し、ついで、前記血液を１６００×ｇで遠心分離して、血漿を回収した。肝臓、腎臓及び肺のそれぞれを洗浄し、リン酸緩衝化生理的食塩水中でホモジナイズし、１０％  ホモジネート溶液を調製した。
【００５１】
肝臓、腎臓及び肺のホモジネート溶液又は血漿  ０．８ｍｌを氷酢酸中０．８％  ＢＨＴ溶液  ５０μｌ、８．１％  ＳＤＳ溶液  ０．２ｍｌ及び１Ｎ  ＮａＯＨでｐＨ３．５に調整された２０％  酢酸と混合した。得られた混合物を、０．８％  チオバルビツール酸（ＴＢＡ）溶液  １．５ｍｌが入った試験管に移した。混合物を、４℃で６０分間維持し、ついで、１００℃で６０分間加熱した。前記混合物を冷却した後、混合物を水  １ｍｌ及びｎ−ブタノール：ピリジン  （１５：１、ｖ／ｖ）  ５ｍｌに添加し、ついで、１６００×ｇ  １０分間遠心分離した。蛍光光度計Ｆ−２５００（日立製作所製）上清の蛍光強度をλex＝５３５ｎｍ及びλem＝５５３ｎｍを測定し、血漿及び組織におけるチオバルビツール酸反応性物質（ＴＢＡＲＳ）を調べた。
【００５２】
その結果、図３のパネル（Ｃ）に示されるように、四塩化炭素は、血漿及び肝臓では、ＴＢＡＲＳ量を増加させなかった。しかしながら、パラコートと四塩化炭素とを投与した動物は、体重を減少し、後述のパラコートを投与した動物は、肺及び腎臓の肥大をまねいた。
【００５３】
また、図４のパネル（ｆ）に示されるように、ＣＣｌ4を投与した場合、ミネラルオイルを投与した場合〔図４のパネル（ｅ）〕に比べ、各測定時における近赤外スペクトルが変化することがわかった。また、図５に示されるように、投与３時間後におけるスペクトルは、２４時間でのスペクトルに比べ、より変化することがわかった。クラス間距離は、４８時間と５１時間とにおいて、広がっていた。
【００５４】
さらに、飼料及び水消費並びに体重減少は、最初の投与の４８時間後に顕著に現れ、近赤外スペクトルに影響を及ぼしうることがわかった。したがって、３時間でのデータセットにおけるケモメトリックス解析を行なうほうが望ましいことが示唆された。
【００５５】
図５に示されるように、０〜３時間における分類に重要な領域は、約７１２〜７１６ｎｍ、７４４ｎｍ、７７２ｎｍ、８０４ｎｍ、８６６ｎｍ、９２２ｎｍ、９６４ｎｍ、９８２ｎｍ及び９９４ｎｍであった。
【００５６】
なお、ミネラルオイルが投与された動物においては、スペクトルの変化は、７１２−７１６ｎｍ、７４４ｎｍ、７７２ｎｍ、８０４ｎｍ、８６６ｎｍ、９９４ｎｍでは観察されなかった。さらに、ＣＣｌ4が投与されたラットでのスペクトルの変化は、ミネラルオイルが投与されたラットでのスペクトルの変化に比べ、９６４ｎｍにおいて、より強かった。
【００５７】
したがって、前記領域における変化は、ＣＣｌ4により誘導された酸化的ストレスに特異的であろうことがわかった。
【実施例３】
【００５８】
Ｆｅ−ＮＴＡ溶液を使用直前に調製した。硝酸酸化鉄九水和物〔ナカライテスク社製〕及びニトリロ三酢酸ニナトリウム〔ナカライテスク社製〕を、それぞれ３００ｍＭ及び６００ｍＭとなるように、水に溶解させた。得られた硝酸酸化鉄九水和物の溶液とニトリロ三酢酸ニナトリウムの溶液とを、１：２の体積比（モル比として、１：４）で混合し、重炭酸ナトリウムでｐＨを６〜７に調整し、Ｆｅ−ＮＴＡ溶液を得た。腹腔内注射により、鉄量として、１５ｍｇ／ｋｇ体重の量の前記Ｆｅ−ＮＴＡ溶液を、１０匹のラットに投与した。
【００５９】
その後、前記実施例２と同様に、投与１０分前、投与１時間後、２時間後、３時間後、６時間後、２４時間後に、フルーツテスターを用い、腹腔のスペクトルを分析した。投与３時間後、４匹のラットを麻酔下で屠殺し、他の６匹を、投与２４時間後で屠殺した。また、等量の０．９％  生理的食塩水を、７匹のラットに腹腔内注射し、対照群として用いた。それらの３匹を投与３時間後、屠殺し、他の４匹を、投与２４時間後屠殺した。血漿、肝臓及び腎臓について、前記実施例２と同様に処理し、ＴＢＡＲＳアッセイを行なった。
【００６０】
その結果、図３のパネル（Ａ）及びパネル（Ｂ）に示されるように、Ｆｅ−ＮＴＡを投与した場合、投与３時間後では、肝臓、腎臓及び血漿において、ＴＢＡＲＳ量が著しく増加し、投与２４時間後では、肝臓及び血漿において、ＴＢＡＲＳ量が増加した。
【００６１】
一方、図４のパネル（ｂ）に示されるように、Ｆｅ−ＮＴＡ投与３時間後で、クラス間距離が最大になることがわかり、体重減少は、２４時間で観察された。これは、脂質過酸化が、Ｆｅ−ＮＴＡの投与３時間後に生じていることと一致した。
【００６２】
また、図６に示されるように、７１１ｎｍ、７６４ｎｍ、７８９ｎｍ、８１６ｎｍ、８３５ｎｍ、８７７〜８８２ｎｍ、９３３ｎｍ、９６３ｎｍ及び９９４ｎｍの各領域は、分類に最も有効であった。
【００６３】
なお、図７に示されるように、７１１ｎｍ付近、７６４ｎｍ付近及び８３５ｎｍ付近の各領域は、生理的食塩水が投与されたラットにおいて、変化した。したがって、媒体の作用は、恐らく、Ｆｅ−ＮＴＡの作用と重複したのであろう。
【００６４】
スペクトルの変化は、７８９ｎｍ、８１６ｎｍ、８７７〜８９２ｎｍ、９３３ｎｍ、９６３ｎｍ及び９９４ｎｍにおいて、Ｆｅ−ＮＴＡに特異的であることがわかった。特に、８７７〜８９２ｎｍ、９６３ｎｍ及び９９４ｎｍｎ領域は、経時的に強度を増加した。
【００６５】
したがって、これらの領域は、Ｆｅ−ＮＴＡにより誘導された酸化的ストレスを反映することが示唆された。
【実施例４】
【００６６】
２，２’アゾビス（２−アミジノプロパン）ジヒドロクロリド（ＡＡＰＨ）〔和光純薬工業株式会社製〕を、１．５％（ｗ／ｖ）の濃度で、０．９％  生理的食塩水に溶解し、腹腔内注射により、５０ｍｇ／ｋｇ体重の量を、６匹のラットに投与した。その後、前記実施例２と同様に、腹腔の近赤外スペクトルを、投与１０分前、投与１時間後、２時間後、３時間後、フルーツテスター  ２０で測定した。最後の測定後、麻酔下にラットを屠殺し、血漿、肝臓及び腎臓について、前記実施例２と同様に処理し、ＴＢＡＲＳアッセイを行なった。
【００６７】
その結果、スペクトルの変化は、投与３時間後に観察された。
【００６８】
図４及び図８に示されるように、最も影響を受けた領域は、約７１５ｎｍ、約７２７ｎｍ、約７３９ｎｍ、約７６３ｎｍ、約７８１ｎｍ、約８０７ｎｍ、約８４７〜８５７ｎｍ、約８８８ｎｍ、約９１１ｎｍ、約９２２〜９３８ｎｍ、約９５９ｎｍ、約９７３ｎｍ及び約９９４ｎｍであった。
【００６９】
なお、図７に示されるように、いくつかの領域は、生理的食塩水が投与されたラットでも検出された。
【００７０】
スペクトルの変化は、７６３ｎｍ、８５０ｎｍ、８７２ｎｍ、８８８ｎｍ、９１１ｎｍ、９５９ｎｍ、９７３ｎｍ及び９９４ｎｍにおいて、ＡＡＰＨに特異的であることがわかった。ＡＡＰＨを投与した場合、９５９ｎｍにおける変化は、生理的食塩水を投与した場合よりも、より明らかであり、８５０ｎｍ、９１１ｎｍ、９７３ｎｍ及び９９４ｎｍにおける変化は、経時的に強度を増加した。
【００７１】
したがって、これらの領域は、ＡＡＰＨにより誘導された酸化的ストレスを示すであろうことが示唆された。
【実施例５】
【００７２】
パラコート〔ナカライテスク社製〕を、１．５％（ｗ／ｖ）の濃度で、０．９％  生理的食塩水に溶解し、腹腔内注射により、５０ｍｇ／ｋｇ体重の量を、６匹のラットに投与した。その後、前記実施例２と同様に、腹腔のスペクトルを、投与１０分前、投与１時間後、２時間後、３時間後、フルーツテスター  ２０で測定した。最後の測定後、麻酔下にラットを屠殺し、血漿、肝臓及び腎臓について、前記実施例２と同様に処理し、ＴＢＡＲＳアッセイを行なった。
【００７３】
その結果、パラコートを投与した場合、投与２４時間後、ラットは、体重を１５〜１８％減少した。
【００７４】
クラス間距離は、経時的に増加し、３時間時点で最大に達した。また、図４のパネル（ｄ）に示されるように、パラコートが投与されたラットにおけるスペクトルの変化のパターンは、生理的食塩水が投与されたラットの場合とは異なることがわかった。また、媒体の影響を示す６時間時点でのクラス間距離は、減少した。
【００７５】
さらに、図３のパネル（Ｂ）に示されるように、パラコートを投与した場合、投与２４時間後、血漿においてＴＢＡＲＳ量が顕著に増加したが、肝臓及び腎臓の組織では、増加しなかった。
【００７６】
図９に示されるように、３時間時点で、７０５ｎｍ、７３０ｎｍ、７４７ｎｍ、８１２ｎｍ、８２０ｎｍ、８４０ｎｍ、８８０ｎｍ、９２０〜９３４ｎｍ、９６５ｎｍ、９８０ｎｍにおいてスペクトル変化が観察された。また、０時間時点に比べ、６時間時点では、７４７ｎｍ付近、８０３ｎｍ付近、９１３ｎｍ付近、９３４ｎｍ付近、９６５ｎｍ付近及び９９５ｎｍ付近の各領域で変化した。
【００７７】
したがって、これらの領域は、パラコートにより誘導された酸化的ストレスを示すことが示唆された。
【００７８】
さらに、実施例２〜実施例５において得られた投与３時間後におけるそれぞれのスペクトルを図１０にまとめて示す。
【００７９】
その結果、図１０に示されるように、９３０ｎｍ、９６０〜９７５ｎｍ及び９９５ｎｍの各領域における変化は、四塩化炭素、Ｆｅ−ＮＴＡ、ＡＡＰＨ及びパラコートのそれぞれを投与した場合に共通しているため、内因的な酸化的ストレスを示す指標となることが示唆された。また、８６０〜８８０ｎｍ付近の領域における変化は、四塩化炭素及びＦｅ−ＮＴＡのそれぞれを投与した場合に共通していることがわかった。
【産業上の利用可能性】
【００８０】
本発明の酸化的ストレスの検出方法及び検出装置によれば、被検試料における酸化的ストレスの簡便かつ迅速な検出、癌、神経変性疾患、動脈硬化症、糖尿病、高血圧症、骨関節炎、急性膵炎、老人性白内障、アミロイドーシス、肝硬変、痴呆症、パーキンソン病、アルツハイマー病、アレルギー性疾患、虚血性心疾患、脳軟化症、炎症（例えば、肝炎、腎炎等）、風邪、感冒等の疾患に罹患した状態若しくは疾患を発症する徴候の診断に用いられうる。
【図面の簡単な説明】
【００８１】
【図１】図１は、ラット腹腔の近赤外スペクトルを示す。パネル（ａ）は、フルーツテスター２０で測定した結果、パネル（ｂ）は、フルーツセレクターＫ−ＢＡ１００で測定した結果、パネル（ｃ）２５ポイント補整とともに、サビッキー−ゴーレイ重畳法の原理により変換された前記（ａ）に関する二次微分スペクトル、パネル（ｄ）は、２５ポイント補整とともに、サビッキー−ゴーレイ重畳法の原理により変換された前記（ｂ）に関する二次微分スペクトル、パネル（ｅ）は、２５ポイント補整とともに、（ａ）のＳＮＶ変換で得られたスペクトル、パネル（ｆ）は、２５ポイント補整とともに、（ｂ）のＳＮＶ変換で得られたスペクトルを示す。
【図２】図２は、主成分１と主成分２とのスコアプロットを示す。パネル（ａ）は、６匹の未処理ラットに関する生データのスペクトルから得られたスコアプロット、パネル（ｂ）は、６匹の未処理ラットに関する二次微分変換スペクトルから得られたスコアプロット、パネル（ｃ）は、６匹の未処理ラットに関するＳＮＶ変換スペクトルから得られたスコアプロットを示す。
【図３】図３は、組織及び血漿におけるＴＢＡＲＳ量を示す。パネル（Ａ）は、０．９％  生理的食塩水、Ｆｅ−ＮＴＡ又はＡＡＰＨにより腹腔内注射し、投与３時間後に屠殺したラットの結果を示し、パネル（Ｂ）は、０．９％  生理的食塩水、Ｆｅ−ＮＴＡ又はパラコートにより腹腔内注射し、投与２４時間後に屠殺したラットの結果を示し、パネル（Ｃ）は、ミネラルオイル又は四塩化炭素により、２４時間間隔で３日間、腹腔内注射し、最後の投与から３時間後に屠殺したラットの結果を示す。データは、平均±Ｓ．Ｅであり、対照と酸化的ストレス誘発剤投与ラットとの間の有意差は、＊ｐ＜０．０５、＊＊ｐ＜０．０１、＊＊＊ｐ＜０．００５であった。
【図４】図４は、種々の試薬の腹腔スペクトルへの影響のクラス内距離を示す。パネル（ａ）は、０．９％  生理的食塩水を投与した場合の結果、パネル（ｂ）は、Ｆｅ−ＮＴＡを投与した場合の結果、パネル（ｃ）は、ＡＡＰＨを投与した場合の結果、パネル（ｄ）は、パラコートを投与した場合の結果、パネル（ｅ）は、ミネラルオイルを投与した場合の結果、パネル（ｆ）は、四塩化炭素を投与した場合の結果を示す。
【図５】図５は、四塩化炭素投与による経時的影響の識別力を示す。
【図６】図６は、Ｆｅ−ＮＴＡ投与による経時的影響の識別力を示す。
【図７】図７は、０．９％  生理的食塩水投与による経時的影響の識別力を示す。
【図８】図８は、ＡＡＰＨ投与されたラットの腹腔スペクトルにおける経時変化の識別力を示す。
【図９】図９は、パラコート投与されたラットの腹腔スペクトルにおける経時変化の識別力を示す。
【図１０】図１０は、四塩化炭素、Ｆｅ−ＮＴＡ、０．９％  生理的食塩水及びＡＡＰＨのそれぞれにより影響の識別力を示す。
【図１】
2005055228.tif 000003
【図２】
2005055228.tif 000004
【図３】
2005055228.tif 000005
【図４】
2005055228.tif 000006
【図５】
2005055228.tif 000007
【図６】
2005055228.tif 000008
【図７】
2005055228.tif 000009
【図８】
2005055228.tif 000010
【図９】
2005055228.tif 000011
【図１０】
2005055228.tif 000012